(57)【要約】      （修正有）【課題】布張キャンバスに描画したものを壁際などに二枚重ねにして立掛けるときに、二枚重ねにする下の油絵面の保護をする治具に関する二枚目の油絵面を下の油絵面の上に重ねるときには下の油絵面を傷や破れを起さないように油絵面に対しての注意を少なくする治具を提供する。【解決手段】油絵キャンバス１の角に装着するキャンバスコーナーであって、腰の有る薄板による直角三角形の二枚の基板３ａ，３ｂを木枠４の厚さと接触防止間隔５との距離を設けて対向させ、二枚の基板３ａと基板３ｂとに屈曲部６を介して架設板７を連設し、他方の二つの斜辺からはそれぞれの屈曲部６を介して架設板７と同じ大きさの二枚の係止板８ａ，８ｂをそれぞれの斜辺より設け、その二枚の係止板８ａ，８ｂを重ね合せにする接触面のそれぞれに面ファスナーの雄１０と雌１１とを設けてキャンバスコーナーを形成している。【選択図】図２
0003164874.tif 000002
【実用新案登録請求の範囲】
【請求項１】
油絵キャンバスの角に装着して重ね置きに対応するキャンバスコーナーであって、腰のある中厚板による直角三角形の二枚の基板を木枠の厚さと接触防止間隔との距離を設けて対向させ、その二箇所で対向する斜辺の一方に木枠の厚さと接触防止間隔との幅のある架設板によって対向する二枚の基板を屈曲部を介して連設し、他方で対向する二つの斜辺からはそれぞれ屈曲部を介して架設板と同じ大きさの係止板をそれぞれの斜辺より設け、その二枚の係止板を二枚重ねに折り合せにする接触面のそれぞれに着脱自在となる面ファスナーの雄と雌とを設け、基板の裏側面においては木枠と接触する部分に着脱自在となる面ファスナーの雄か雌かの一方を設けて木枠固定部を形成したことを特徴とする油絵キャンバス重ね置きコーナー。
【請求項２】
油絵キャンバスの両下の角に装着するキャンバスコーナーにおいて、架設板の外側面に滑り面を設けたことを特徴とする請求項１記載の油絵キャンバス重ね置きコーナー。
【請求項３】
油絵キャンバスの対角線上にある上下の角に装着する二つのキャンバスコーナーを１組とし、その１組を左右二組みの合せ物としたことを特徴とする請求項１又は請求項２記載の油絵キャンバス重ね置きコーナー。
【考案の詳細な説明】
【技術分野】
【０００１】  この考案は、油絵用画布であるキャンバスを四角い木枠外周部に釘付けして布張キャンバスとして描画したものをアトリエの壁際などに一時立掛けることがあるもので、そのアトリエの広さの関係で壁際などに二枚重ねにして立掛けることがあり、その二枚重ねにして立掛けたときの油絵面の保護をする治具に関するものである。
【背景技術】
【０００２】  従来、布張キャンバスに描画したものをアトリエの壁際に立掛けや輸送するときには毛布やクッション材などを油絵面に覆うことで保護することが一般的であった。【０００３】  其の他には、布張キャンバスの角部となる四箇所に、二つの油絵面を重ねるときに隙間を形成する内方突起部を設けている張キャンバス結合治具の実開平７−３７６９８号公報である特許文献１があった。【０００４】
【特許文献１】  実開平７−３７６９８号公報
【考案の開示】
【考案が解決しようとする課題】
【０００５】  特許文献１に係る張キャンバス結合治具においては、描画した油桧キャンバスの１枚目を張キャンバス結合治具に装着するときには油絵面に対しての注意はそれほど厳しくなく、二枚目の油絵面を１枚目の油絵面と向い合わせに重ねて張キャンバス結合治具に装着するときには油絵面に対しての注意が非常に厳しくなるものであった。【０００６】  また、張キャンバス結合治具は鋼性の高い厚紙によって形成されているが、折線が狭い幅の間隔で数多く設けていることからその折り曲げる作業が容易ではなく、張キャンバス結合治具の組立てに手間が掛かり過ぎるものであり、掛け止める部分となるフラップの先端部においては木枠とキャンバス裏面との隙間に差し込むものであり、その部分が狭いものであることから抜け出たりする心配があるものであった。【０００７】  そこで、本考案は、上記課題に鑑み、油絵面に対しての注意が少なく折線も少なくして折り曲げ易く、組立ても容易にした油絵キャンバス重ね置き治具を提供するものである。
【課題を解決するための手段】
【０００８】  本考案は、上記課題を解決するために油絵キャンバス１の角に装着して重ね置きに対応するキャンバスコーナー２であって、腰のある中厚の板による直角三角形の二枚の基板３ａ，３ｂを木枠４の厚さと接触防止間隔５との距離を設けて対向させているものである。【０００９】  その対向する二枚の前後の基板３ａ，３ｂであるその二箇所で対向する斜辺の一方に、木枠４の厚さと接触防止間隔５との幅を設けて、その対向する二枚の基板ａと基板ｂとに屈曲部６を介して架設板７を連設しているものである。【００１０】  そして、対向する他方の二つの斜辺からはそれぞれの屈曲部６を介して架設板７と同じ大きさで二枚の係止板８ａ，８ｂをそれぞれの斜辺より設け、その二枚の係止板８ａ，８ｂを二枚重ねに折り合せにする接触面９のそれぞれに着脱自在となる面ファスナーの雄１０と雌１１とを設け、その二枚の係止板８ａ，８ｂを二枚重ねに折り合せることで面ファスナーの雄１０と雌１１とが接合して直角三角形の箱型が形成され、油絵キャンバス１の角に装着するキャンバスコーナー２としているものである。【００１１】  油絵キャンバス１の裏側となる角に装着した基板３ａの裏側面においては、縦と横との木枠４と接触する部分に着脱自在となる面ファスナーの雄１０を設けて木枠固定部１２を形成し、その木枠固定部１２と接触する縦と横との木枠４にはあらかじめ面ファスナーの雌１１を設けるもので、油絵キャンバス１の運搬や移動などの取扱うときに他の物との引っ掛かりを少なくした考えであって、面ファスナーの雌１１と面ファスナーの雄１０との取付けを逆にすることも考えられる。【００１２】  この油絵キャンバス１の角にキャンバスコーナー２を装着する手順としては、係止板８ａ，８ｂを引き離して屈曲部６を伸ばした平板状に広げ、架設板７を油絵キャンバス１の角の上に載せて二つの基板３ａ，３ｂをまたがせ、縦と横とになる木枠４の裏側に設けている面ファスナー雌１１と基板３ａの裏側に設けている面ファスナー雄１０とを押し付けて装着すれば一応安定状態となるもので、それから二枚の係止板８ａ，８ｂを二枚重ねに折り合せることで二枚の係止板８ａ，８ｂに設けている面ファスナーの雄１０と面ファスナーの雌１１との係止によって装着が完了する。【００１３】  そして、油絵キャンバス１の両下側の角に装着するキャンバススコーナー２においては、架設板７の外側面に滑り面１３を持つ布や板材を設けることが考えられ、油絵キャンバス１の運搬や移動での滑り動かすときに容易になるものとしている。
【考案の効果】
【００１４】  油絵キャンバス１の対角線上にある上下の角に装着する二つのキャンバスコーナー２は滑り面１３を除けば其の構造が同じとなるのでそれを対とし、この左右二組みの合せ物としたり、油絵キャンバス１の上下左右となる四つの角に装着する四つのキャンバスコーナー２を１組として組み合せ物としたりして販売することが考えられる。【００１５】  屈曲部６を伸ばしてキャンバススコーナー２を、図４に示すように、平板状に広げたスタートから、架設板７を油絵キャンバス１の角部の上に載せて二つの基板３ａ，３ｂをまたがせ、縦と横とになる木枠４の面ファスナー雌１１と基板３ａに設けている面ファスナー雄１０とを押し付けて装着する一つ目の工程と、二枚の係止板８ａ，８ｂを二枚重ねに折り合せる二つ目の工程となる係止によって装着が完了するもので、工程数が少なく、取付けと組立てとが一緒に出来、その装着作業現場が狭くても油絵キャンバス１への装着が容易である。【００１６】  また、油絵キャンバス１に取付けたキャンバスコーナー２が安定状態であり、油絵キャンバス１の下側に取付けたキャンバスコーナー２には滑り面１３を設けているので大型の油絵キャンバス１の展示での移動と運搬作業とが容易になるものである。【００１７】  塗り上げた生乾きの油絵キャンバス１をアトリエの壁に立掛けた状態にし、次ぎに塗り上げた油絵キャンバス１を二枚重ねにして立掛けたときに、間隔を持って重なっているので油絵の乾きを良くするものであるから、次々と油絵キャンバス１を重ねることが出来もので次なる絵を書く仕事が速やかに出来る効果がある。【００１８】  そして、二枚重ねにする作業においても接触防止間隔５があるので油絵キャンバス１の油絵面に傷を付けたり、キャンバスを切ったりすることが無くなり、取扱いでの注意力や緊張力も少なくなるものである。【００１９】  キャンバスコーナー２は打抜きと押罫やハーフカット等による屈曲部６とによって製造ができるので、製造コストが安価に出来るものでもある。
【考案を実施するための最良の形態】
【００２０】  以下、実施例を図面に基づいて説明する。【００２１】  本考案に係わる一つの実施例としては、図１に示すように、油絵キャンバス１の角に装着して重ね置きに対応するキャンバスコーナー２であって、腰のある中厚板の紙質やプラスチック、ベニヤ板、木板、皮による直角三角形の二枚の基板３ａ，３ｂを木枠４の厚さと接触防止間隔５との距離を設けて対向させるものである。【００２２】  このキャンバスコーナー２の構造は、図４に示すように、その対向する二枚の前後の基板３ａ，３ｂである直角三角形の二箇所で対向する斜辺の一方において、木枠４の厚さと接触防止間隔５との幅のある架設板７によって対向する二枚の基板ａと基板ｂとが押罫や半切れなどの屈曲部６を介して連設しているものである。【００２３】  そして、図２に示すように、対向する他方の二つの斜辺からはそれぞれの架設板７と同じ大きさの係止板８ａ，８ｂをそれぞれの斜辺より押罫や半切れなどの屈曲部６を介して接続し、その二枚の係止板８ａ，８ｂを二枚重ねに折り合せにする接触面９のそれぞれに着脱自在となる面ファスナーの雄１０と雌１１とを設け、その二枚の係止板８ａ，８ｂを二枚重ねに折り合せることで直角三角形の箱型を形成して油絵キャンバス１の角に装着するものとしている。【００２４】  油絵キャンバス１の裏側となる角に装着する基板３ａの裏側面においては、縦と横との木枠４と接触する部分に着脱自在となる面ファスナーの雄１０を設けて木枠固定部１２を形成し、その木枠固定部１２と接触する縦と横との木枠４にはあらかじめ面ファスナーの雌１１を設けているもので、その面ファスナーの雌１１は油絵キャンバス１の運搬や移動などの取扱うときに他の物との引っ掛かりを少なくした考えであって、面ファスナーの雌１１と面ファスナーの雄１０との取付けを逆にすることも考えられる。【００２５】  この油絵キャンバス１の角にキャンバスコーナー２を装着する手順の一つとしては、係止板８ａ，８ｂを引き離して屈曲部６を伸ばした平板状に広げ、架設板７を油絵キャンバス１の角の上に載せて二つの基板３ａ，３ｂをまたがせ、縦と横とになる木枠４の裏側に設けている面ファスナー雌１１と基板３ａの裏側に設けている面ファスナー雄１０とを押し付けて装着すれば一応安定状態となるので、それから二枚の係止板８ａ，８ｂを二枚重ねに折り合せることで二枚の係止板８ａ，８ｂに設けている面ファスナーの雄１０と面ファスナーの雌１１との係止によって装着が完了するものとしている。【００２６】  そこで、油絵キャンバス１には左右上下の四つの角があるもので、油絵キャンバス１の一箇所の角に装着する構造のキャンバスコーナー２を一種類として、その架設板７を上辺の木枠４の左右となる角に装着することは、左右に対して装着するキャンバスコーナー２の構造が対象的な位置関係になることから、左右となる一方の角に装着するものは木枠４の裏側に設けている面ファスナー雌１１と基板３ａの裏側に設けている面ファスナー雄１０とが接触しないで面ファスナー雄１０を設けていない基板３ｂの裏面とが接触することになるので係止することができないものである。【００２７】  したがって、木枠４の上辺となる左右の角に装着するキャンバスコー��ー２の構造は左右対称の構造とした基板３ａの裏側と基板３ｂの裏面とに設ける面ファスナー雌１１の取付け位置が対称となる二種類のキャンバスコーナー２を形成しておくもので、対角線上となる二つの角に装着するキャンバスコーナー２の構造は滑り面１３を除けば同じものとして使用することができるものである。【００２８】  また、キャンバスコーナー２を一種類としてそれぞれの四つの角に装着することができるものであるが、架設板７を取付ける位置がそれぞれの横向きの木枠４や縦向きの木枠４に変えることでキャンバスコーナー２を装着することもできる。【００２９】  そして、他の実施例としては、腰のある中厚板として合紙のチップボールを使用し、図３に示すように、油絵キャンバス１の両下側の角に装着するキャンバススコーナー２においては、架設板７の外側面に滑り面１３を持つ木板等を設けることが考えられ、油絵キャンバス１の移動や運搬などでの滑り動かすときに容易なものとすることが考えられる。
【図面の簡単な説明】
【００３０】
【図１】  本考案に係わるキャンバススコーナーの使用例を示す斜視図である。
【図２】  本考案に係わる一つの実施例を示す斜視図である。
【図３】  滑り面を設けた状態を示す斜視図である。
【図４】  キャンバススコーナーを展開した内側を示す平面図である。
【符号の説明】
【００３１】  １  油絵キャンバス
２  キャンバスコーナー
３  基板
４  木枠
５  接触防止間隔
６  屈曲部
７  架設板
８  係止板
９  接触面
１０  面ファスナー雄
１１  面ファスナー雌
１２  木枠固定部
１３  滑り面
【図１】
0003164874.tif 000003
【図２】
0003164874.tif 000004
【図３】
0003164874.tif 000005
【図４】
0003164874.tif 000006